(57)【要約】【課題】制御が簡単で、主軸回転数の変化や余熱等に対し臨機応変に冷却水のＯＮ−ＯＦＦを制御し速やかに所定主軸回転数でのサチュレート温度に達するような主軸冷却水の制御方法を提供。【解決手段】回転主軸２、回転主軸温度センサ９、冷却ジャケット４、冷却水５、ＯＮ−ＯＦＦ制御バルブ８を有する回転主軸冷却装置１において、回転主軸回転数とサチュレート温度との関係を示す閾値テーブルを設け、回転主軸がＯＮの時は、回転主軸温度Ｔが閾値テーブルの閾温度より高いときは冷却水を供給し、低いときは冷却水を停止する。回転主軸がＯＦＦの時は、回転主軸温度がＯＦＦ前の回転主軸の回転数に対する閾値テーブルの温度より高いときは冷却水を供給し、低いときは冷却水を停止する。閾値温度を所定回転数以下ではサチュレート温度より高く、所定回転数以上の時は低く設定する。【選択図】        図１
2013086214.tif 000002
【特許請求の範囲】
【請求項１】
回転主軸と、前記回転主軸の温度を測定する温度センサと、前記回転主軸を冷却する冷却ジャケットと、前記冷却ジャケットに供給される室温より低い一定温度に制御された冷却水と、前記冷却水を最大流量で供給又は供給をゼロとするＯＮ−ＯＦＦ制御バルブと、を有する回転主軸冷却装置において、
前記回転主軸の各所定回転数での最大冷却水を与えた時の各所定回転数毎のサチュレート温度との関係を予め測定して作成した前記回転主軸の回転数とサチュレート温度との関係を示す閾値テーブルを設け、
ａ）回転主軸がＯＮの時は、前記回転主軸の回転数に対する前記閾値テーブルの閾値温度より前記温度センサの温度が高いときは前記ＯＮ−ＯＦＦ制御バルブをＯＮとし、前記冷却水を前記ジャケットに供給し、回転主軸の回転数に対する前記閾値テーブルの閾値温度より前記温度センサの温度が低いときは前記ＯＮ−ＯＦＦ制御バルブをＯＦＦとし、前記冷却水を停止し、
ｂ）回転主軸がＯＦＦの時は、ＯＦＦ前の回転主軸の回転数に対する前記閾値テーブルの閾値温度より前記温度センサの温度が高いときは前記ＯＮ−ＯＦＦ制御バルブをＯＮとし、前記冷却水を前記ジャケットに供給し、ＯＦＦ前の回転主軸の回転数に対する前記閾値テーブルの閾値温度より前記温度センサの温度が低いときは前記ＯＮ−ＯＦＦ制御バルブをＯＦＦとし、前記冷却水を停止することを特徴とする回転主軸冷却水の制御方法。
【請求項２】
前記閾値テーブルの閾値の温度は、所定の回転数以下のときは、前記サチュレート温度より高く、前記所定の回転数以上の時は、前記サチュレート温度より低い値に設定されていることを特徴とする請求項1記載の回転主軸冷却水の制御方法。
【発明の詳細な説明】
【技術分野】
【０００１】
本発明は、精密工作機等のスピンドル（回転主軸）の冷却水の制御方法に関する。
【背景技術】
【０００２】
従来、精密工作機の主軸は、主軸の温度変化による軸方向の伸びによる寸法精度への影響を避ける必要がある。このため、主軸回転状態で主軸に冷却水を供給しながら、主軸の温度が一定温度に安定するまで、暖機運転を行う。しかし、加工にあたっては、ワークの段取り替えのため主軸を回転停止したり、ワーク諸元の変更により回転数を変えたりする必要がある。そのたびに、温度が安定するまで加工を待つ必要があるが、できる限り安定までの時間を短縮したい。また、コスト等の関係から見ても、制御システムも簡単なＯＮ−ＯＦＦ制御が好ましい。そこで、特許文献１のものにおいては、主軸停止時の冷やし過ぎを防止するために、主軸停止時には冷却水をＯＦＦし、次回の運転開始時の温度上昇までの時間を短縮する。また、主軸ＯＮ時に、冷却水をＯＦＦからＯＮするようにして、無駄なエネルギーロスを減らしている。
【０００３】
一方、特許文献２の場合は、主軸回転数に対するサチュレート時の熱変移量の関係を求めておき、前後の主軸回転数及び経過時間を考慮して、所定回転数時に早くサチュレートするように冷却水のＯＮ−ＯＦＦのタイミングを計っている。例えば、主軸ＯＦＦ時は、ＯＦＦ時の主軸回転数と前もって与えられた次の回転数及び経過時間の値から、短時間にサチュレートするように計算して、もし冷やし過ぎとなるときは冷却水をＯＦＦし、冷やす必要があるときは冷却水をＯＮするかを判定する。
【０００４】
また、主軸ＯＮ時には、高速回転から低速回転に変化する場合は、当然サチュレート温度は低くなるので、早めに温度を下げるために、冷却水をＯＮする又は冷却水を継続してＯＮする。低速回転から高速回転に変化する場合は、サチュレート温度が高くなるので、冷却水をＯＦＦし、冷却水のＯＮ時のタイミングを遅らせて主軸の温度上昇を早めるようにしている。
【先行技術文献】
【特許文献】
【０００５】
【特許文献１】特開２００４−３３８０３４号公報
【特許文献２】特開平１１−１１００２１号公報
【発明の概要】
【発明が解決しようとする課題】
【０００６】
しかし、特許文献１の場合は、制御はシンプルであるが、温度が下がり過ぎている場合は、サチュレート温度に達するまでに時間がかかるという問題があった。また、停止前後の回転数が異なる場合までは開示されていない。もし、停止後の再起動時の回転数が停止前より高い場合は、再起動と同時に冷却水をＯＮしたのでは、サチュレート温度に達するまでにさらに時間がかかるという問題があった。
【０００７】
また、特許文献２の場合は、予め次回主軸の回転開始時間、回転数を前もって知る必要がある。このため、作業がサイクルタイムに沿って行われている必要がある。逆に、段取り作業等で思わぬ時間が掛かったり、早く終わったりした場合は、対処できない。また、制御が複雑である。また、ワークを連続して加工する場合等の主軸回転数が同回転の場合については特に考慮されていない等の問題があった。さらに、主軸回転停止後の余熱による温度の影響については考慮されていない。
【０００８】
本発明の課題は、かかる問題点に鑑みて、制御が簡単で、前もって次回回転数のデータを把握する必要がなく、主軸回転数の変化に対し臨機応変に冷却水のＯＮ−ＯＦＦを制御し、余熱等の影響をも考慮でき、速やかに所定主軸回転数でのサチュレート温度に達するような主軸冷却水の制御方法を提供することである。
【課題を解決するための手段】
【０００９】
本発明においては、回転主軸と、前記回転主軸の温度を測定する温度センサと、前記回転主軸を冷却する冷却ジャケットと、前記冷却ジャケットに供給される室温より低い一定温度に制御された冷却水と、前記冷却水を最大流量で供給又は供給をゼロとするＯＮ−ＯＦＦ制御バルブと、を有する回転主軸冷却装置において、
前記回転主軸の各所定回転数での最大冷却水を与えた時の各所定回転数毎のサチュレート温度との関係を予め測定して作成した前記回転主軸の回転数とサチュレート温度との関係を示す閾値テーブルを設け、
ａ）回転主軸がＯＮの時は、前記閾値テーブルの前記回転主軸の回転数に対する温度より前記温度センサの温度が高いときは前記ＯＮ−ＯＦＦ制御バルブをＯＮとし、前記冷却水を前記ジャケットに供給し、前記閾値テーブルの回転主軸の回転数に対する温度より前記温度センサの温度が低いときは前記ＯＮ−ＯＦＦ制御バルブをＯＦＦとし、前記冷却水を停止し、
ｂ）回転主軸がＯＦＦの時は、前記閾値テーブルのＯＦＦ前の回転主軸の回転数に対する温度より前記温度センサの温度が高いときは前記ＯＮ−ＯＦＦ制御バルブをＯＮとし、前記冷却水を前記ジャケットに供給し、前記閾値テーブルのＯＦＦ前の回転主軸の回転数に対する温度より前記温度センサの温度が低いときは前記ＯＮ−ＯＦＦ制御バルブをＯＦＦとし、前記冷却水を停止するようにした主軸冷却水の制御方法を提供することにより、前述した課題を解決した。
【００１０】
即ち、ａ）回転主軸ＯＮ時、回転主軸の温度が閾値テーブルの温度より高いときは、再起動時の回転数に対するサチュレート温度は主軸温度より低いことと想定される。そこで、冷却水を供給し、早くサチュレート温度に低下させる。なお、冷却水をＯＦＦすると回転主軸ＯＦＦ時の内外部の余熱が冷却ジャケットに伝わって回転主軸の温度、即ち温度センサ温度が高くなっている場合にも冷却水が供給される。これにより、部分的な発熱を抑え、再起動時に安定した温度環境を与える。
【００１１】
また、回転主軸の温度が閾値テーブルの温度より低いときは、再起動時の回転数に対するサチュレート温度は回転主軸温度より高いと想定され、冷却水を停止（ＯＦＦ）し、主軸回転による発熱を優先してサチュレート温度に昇温させる。
【００１２】
ｂ）回転主軸ＯＦＦ時、回転主軸の温度が閾値テーブルの停止前の回転数に対する温度より高いときは、冷却水ＯＦＦ時前の回転時の内外部の余熱が冷却ジャケットに伝わって主軸温度、即ち温度センサ温度が高くなっていることと想定し、冷却水を供給（ＯＮ）する。一方、主軸温度が閾値テーブルの停止前の回転数に対する温度より低いときは、緩やかに温度を低下するため、冷却水を停止（ＯＦＦ）する。これにより、主軸回転ＯＦＦ後の温度を一定の温度低下状態とする。なお、閾値に対しては適宜所定のヒステリシスを与えるのが好ましい。
【００１３】
また、回転主軸停止時や、加工回転数より十分回転数が低い範囲では、発熱量は少なく冷却水を供給する必要がほとんど無い。そこで、請求項２に記載の発明においては、前記閾値テーブルの閾値の温度は、所定の回転数以下のときは、前記サチュレート温度より高く、前記所定の回転数以上の時は、前記サチュレート温度より低い値に設定することとした。
【発明の効果】
【００１４】
本発明によれば、主軸回転ＯＮ時に、主軸温度が閾値テーブルの温度より高いときは、冷却水を供給し、早くサチュレート温度に低下させる。主軸温度が低いときは、冷却水を停止（ＯＦＦ）し、主軸回転による発熱を優先してサチュレート温度に昇温させる。主軸回転ＯＦＦ時に、主軸温度が高いときは、冷却水を供給（ＯＮ）し、余熱の影響を無くし、主軸温度が低いときは、冷却水を停止（ＯＦＦ）し緩やかに温度を低下する。これにより、次回回転数を予測することなく、実際の主軸回転数に応じて臨機応変に冷却水のＯＮ−ＯＦＦを制御でき、速やかに所定主軸回転数でのサチュレート温度に到達し、待ち時間を短くし、加工効率を向上するものとなった。
【００１５】
また、熱発生が少ない低回転時には、閾値温度をサチュレート温度より高くし、冷却水を供給しないので、無駄なエネルギーを消費しない。また、制御も簡単となる。
【図面の簡単な説明】
【００１６】
【図１】本発明を実施するための回転主軸冷却装置のブロック図である。
【図２】本発明の実施の形態を示す回転主軸回転数とサチュレート温度との関係を示す説明図である。
【図３】本発明の実施の形態を示す閾値テーブルの説明図である。
【図４】本発明の実施の形態を示す停止時から所定回転数に回転させた場合の主軸回転ＯＮ−ＯＦＦ時のタイムチャート図である。
【図５】本発明の実施の形態を示す高速回転から、所定時間休止後、低速回転で回転させた場合の主軸回転ＯＮ−ＯＦＦ時のタイムチャート図である。
【図６】本発明の実施の形態を示す所定時間休止後同回転数で回転させた場合の主軸回転ＯＮ−ＯＦＦ時のタイムチャート図である。
【図７】本発明の実施の形態を示す低速回転から所定時間休止後、高速回転で回転させた場合の主軸回転ＯＮ−ＯＦＦ時のタイムチャート図である。
【発明を実施するための形態】
【００１７】
本発明の実施の形態について図面を参照して説明する。図１に示すように、本発明に用いる回転主軸冷却装置１は、先端２ａに砥石等の高速回転工具３が取り付けられる回転主軸２の支持空気軸受の周りに設けられた冷却ジャッケト４と、冷却ジャケットに供給される冷却水５を供給する冷却供給装置６とを有する。回転主軸２は制御装置７により指定回転数で制御されるようにされている。冷却供給装置６と冷却ジャケット４の間にはＯＮ−ＯＦＦバルブ８が設けられており、ＮＣ制御装置７からの信号により、冷却水５を冷却ジャケット４に供給又は供給を停止するようにされている。回転主軸２及び制御装置７は、特許文献１や２に開示されているＮＣ工作機、ウエハダイシング装置、研削装置等に用いられる一般的なものであり、説明を省略する。
【００１８】
回転主軸２の温度を測定するための温度センサ９が冷却ジャケット４と回転主軸２との間に設けられており、温度センサ９の温度測定データが制御装置７に入力される。制御装置７には、予め、回転主軸の回転数Ｎ（ｒｐｍ）と冷却水供給時（最大流量又は所定流量の一定の流量）のサチュレート温度Ｔ（温度センサの測定温度℃）との関係を求め、回転主軸回転数とサチュレート温度との関係をデータ化した閾値データテーブル１０が設けられている。回転主軸回転数Ｎとサチュレート温度Ｔとは図２に示すように回転数によりサチュレート温度が変化する。これは、特許文献２が主軸変位としているのを主軸温度とした点で相違するが、同様な傾向を示す。かかるデータを基に、図３に示す閾値データとする。回転数Ｎとサチュレート温度Ｔの関係は右上がりの上側へ凹状の点線曲線となる。閾値データ（実線曲線）１１はサチュレート温度より若干低い値となるように予め入力されるか、又は、プログラムで修正される。なお、回転数が加工回転数より低い部分又は充分低い部分では、閾値は一定の値とされ、回転主軸のＯＮ−ＯＦＦに関わらず冷却水はＯＦＦとされる。
【００１９】
かかる、装置において、制御装置７は、回転主軸２の指令回転数又は回転主軸の実回転数Ｎのデータから閾値データ１１を参照し、回転主軸への回転（ＯＮ）―停止（ＯＦＦ）指令と温度センサ９の測定温度Ｔと比較結果から条件判定を行い、ＯＮ−ＯＦＦバルブ８へＯＮ−ＯＦＦの指令を出力する。回転主軸が回転している（ＯＮ）場合は、測定温度が閾値データの温度より高い時は制御バルブ８をＯＮして、冷却水５を冷却ジャケット４に供給する。また、測定温度が閾値データの温度より低い時は制御バルブ８をＯＦＦして、冷却水５を停止するようにされている。また、回転主軸２が回転していない（ＯＦＦ）場合は、測定温度が直前の回転主軸２の指令又は実回転数の閾値データの温度より高い時は制御バルブ８をＯＮして、冷却水５を冷却ジャケット４に供給する。また、測定温度が直前の回転主軸２の指令又は実回転数の閾値データの温度より低い時は制御バルブ８をＯＦＦして、冷却水５を停止するようにされている。なお、ゼロ回転（ＯＦＦ）時のチュレート温度は、ほぼ冷却水温度となるが、回転ＯＦＦ時は、前の回転数が使用され、余熱の影響がなくなり前の回転数のサチュレート温度以下になり、冷却水がＯＦＦとなった後は、温度が上昇することがないので、再度回転するまでは、冷却水はＯＦＦのままである。また、スタート時に回転ＯＦＦの場合は、前の回転数の影響がない場合には冷却水はＯＦＦとされる。また、低速回転（例えば、通常の加工回転数が３０００ｒｐｍ以上の場合では、１００ｒｐｍ以下）では、冷却水はＯＦＦとされる。
【００２０】
かかる装置により、本発明の制御は次のように行われる。図４は、本発明の実施の形態を示す停止時から所定回転数に回転させた場合の主軸回転ＯＮ−ＯＦＦ時のタイムチャート図である。図４に示すように、停止時即ち回転数ゼロでは熱発生はないので、冷却水はＯＦＦとされる。次に所定回転数指令により回転主軸が回転（ＯＮ）すると、回転の発熱により回転主軸の温度が上昇する。しかし、温度センサの温度が回転数に対する閾値テーブルの閾値温度より低い間は冷却水はＯＦＦのままなので、回転主軸の温度は速やかに上昇する。温度が上昇し、サチレート温度より若干低く設定された閾値温度になった時に冷却水がＯＮされる。これにより、所定のサチュレート温度に速やかに達し回転主軸の温度が安定する。
【００２１】
図５は、本発明の実施の形態を示す高速回転から、所定時間休止後、低速回転で回転させた場合の主軸回転ＯＮ−ＯＦＦ時のタイムチャート図である。図５（ａ）、（ｂ）に示すように、高速回転時には冷却水はＯＮとされ、回転主軸温度はサチュレート温度になっている。回転主軸を停止（ＯＦＦ）すると回転主軸の温度は低下するが、余熱があるのですぐには低下しない。徐々に温度が低下し、サチレート温度より若干低く設定された閾値温度になった時に冷却水がＯＦＦされる。これにより、回転主軸の温度が余熱により高いまま放置されることなく、冷やし過ぎることもなく、自然放熱状態とされる。
【００２２】
次に、低速回転で回転させると、低速回転時の温度が閾値テーブルの温度より高い場合は、冷却水が供給（ＯＮ）され、温度を低下させ、速やかに低速回転時のサチュレート温度に達し、回転主軸の発熱とバランスして冷却水は供給され続ける（図５（ａ））。反対に、低速回転時の温度が閾値テーブルの閾値温度より低い場合は、冷却水が停止（ＯＦＦ）され、温度が上昇し、サチレート温度より若干低く設定された閾値温度になった時に冷却水がＯＮされる（図５（ｂ））。これにより、所定のサチュレート温度に速やかに達し回転主軸の温度が安定する。
【００２３】
図６は、本発明の実施の形態を示す所定時間休止後同回転数で回転させた場合の主軸回転ＯＮ−ＯＦＦ時のタイムチャート図である。図６（ａ）、（ｂ）に示すように、回転時には冷却水はＯＮとされ、回転主軸温度はサチュレート温度になっている。回転主軸を停止（ＯＦＦ）すると回転主軸の温度は低下するが、余熱があるのですぐには低下しない。徐々に温度が低下し、サチレート温度より若干低く設定された閾値温度になった時に冷却水がＯＦＦされる。これにより、回転主軸の温度が高いまま放置されることなく、また、冷やしすぎることもなく、自然放熱状態とされる。次に、同じ回転数で回転させると、回転主軸の温度が下がっておらず、閾値テーブルの閾値温度より高い場合は、冷却水が継続供給（ＯＮ）されつづけ、サチュレート温度を維持する（図６（ａ））。反対に、再回転時の温度が閾値テーブルの閾値温度より低い場合は、冷却水が継続停止（ＯＦＦ）され、温度が上昇し、サチレート温度より若干低く設定された閾値温度になった時に冷却水がＯＮされる（図６（ｂ））。これにより、所定のサチュレート温度に速やかに達し回転主軸の温度が安定する。
【００２４】
図７は、本発明の実施の形態を示す低速回転から所定時間休止後、高速回転で回転させた場合の主軸回転ＯＮ−ＯＦＦ時のタイムチャート図である。図７に示すように、低速回転時には冷却水はＯＮとされ、回転主軸温度はサチュレート温度になっている。回転主軸を停止（ＯＦＦ）すると回転主軸の温度は低下するが、余熱があるのですぐには低下しない。徐々に温度が低下し、閾値温度になった時に冷却水がＯＦＦされる。これにより、回転主軸の温度が高いまま放置されることなく、また、冷やしすぎることもなく、自然放熱状態とされる。次に、高速回転数で回転させると、高速回転数の閾値テーブルの閾値温度は低速回転数の閾値温度より当然高いので、冷却水は停止（ＯＦＦ）され、温度が上昇し、サチレート温度より若干低く設定された閾値温度になった時に冷却水がＯＮされる。これにより、所定のサチュレート温度に速やかに達し回転主軸の温度が安定する。
【００２５】
このように、本発明の実施の形態においては、主軸回転ＯＦＦ時には、直前の主軸回転数によりＯＮ−ＯＦＦバルブを制御し、余熱対策及び保温対策を行い、停止時の温度変化を少なくし、次工程に備える。一方、主軸回転ＯＮ時には、指令又は実主軸回転数の値によりＯＮ−ＯＦＦバルブを制御し、速やかにサチュレート温度に近づけることができる。従って、複雑な工程データを用いることなく、回転主軸の指令又は実回転数と測定温度を用いて閾値テーブルと比較するという簡単な制御で回転主軸の回転数に応じて、速やかに安定した温度とし、回転主軸寸法を安定させ、加工開始を早めることができる。
【符号の説明】
【００２６】
１    回転主軸冷却装置
２    回転主軸
４    冷却ジャケット
５    冷却水
８    ＯＮ−ＯＦＦ制御バルブ
９    温度センサ
１０  閾値テーブル
【図１】
2013086214.tif 000003
【図２】
2013086214.tif 000004
【図３】
2013086214.tif 000005
【図４】
2013086214.tif 000006
【図５】
2013086214.tif 000007
【図６】
2013086214.tif 000008
【図７】
2013086214.tif 000009